(57)【要約】【課題】コントローラによって取得された情報を消失することなく、異常原因を判断することができなくなるような状態を回避すること。【解決手段】本発明は、計量対象物の物理量を計測する計測手段１８，２０，２２と、計測した物理量を、予め設定された異常パターン条件と比較することにより、取得した物理量に異常があるか否かを判定し、異常有りと判定した場合には、この異常の異常パターンを特定するとともに、計量対象物の通過を遮断させる中央制御部３と、中央制御部３を駆動させる電池４と、中央制御部３によって取得された物理量と、特定された異常パターンとを記憶する不揮発性のメモリと、外部から送信された指令を受信し、その指令に基づいてメモリに記憶された情報を送出するアンテナ６とを備えたＩＣタグ５とを備えた計量器２０である。【選択図】      図１
2005257648.tif 000002
【特許請求の範囲】
【請求項１】
内部を通過する計量対象物の物理量を計測し、計測された物理量に異常があった場合には、前記計量対象物の通過を遮断する計量器であって、
前記計量対象物の物理量を計測する計測手段と、
前記計測手段によって計測された物理量を取得し、前記取得した物理量を、予め設定された異常パターン条件と比較することにより、前記取得した物理量に異常があるか否かを判定し、異常有りと判定した場合には、この異常の異常パターンを特定するとともに、前記計量対象物の通過を遮断させる異常特定手段と、
前記異常特定手段を駆動させる電池と、
前記異常特定手段によって取得された物理量と、前記特定された異常パターンとを記憶する不揮発性の記憶手段と、外部から送信された指令を受信し、その指令に基づいて前記記憶手段に記憶された情報を送出する通信手段とを備えたＩＣタグと
を備えた計量器。
【請求項２】
請求項１に記載の計量器において、
前記ＩＣタグの通信手段に、前記外部からの指令として、前記異常パターン条件の更新情報が送信された場合には、前記異常特定手段に設定されている異常パターン条件を、この更新情報に基づいて更新する更新手段を更に備えた計量器。
【請求項３】
請求項１または請求項２に記載の計量器において、
前記計測手段によって計測された物理量、または前記記憶手段に記憶された物理量または異常パターンを表示する表示手段を更に備えた計量器。
【請求項４】
請求項３に記載の計量器において、
前記表示手段は表示パネルを備えている一方、
前記通信手段をプリントアンテナとし、このプリントアンテナを、前記表示パネルに配置した計量器。
【請求項５】
請求項１乃至３のうち何れか１項に記載の計量器において、
前記通信手段をプリントアンテナとした計量器。
【請求項６】
請求項１乃至５のうち何れか１項に記載の計量器において、
前記計量対象物は、供給側から需要側へと供給されるガスまたは水道水である計量器。
【請求項７】
内部を通過する計量対象物の物理量を計測し、計測された物理量に異常があった場合には、前記計量対象物の通過を遮断する計量器に適用されるコントローラであって、
計測された前記物理量を取得し、前記取得した物理量を、予め設定された異常パターン条件と比較することにより、前記取得した物理量に異常があるか否かを判定し、異常有りと判定した場合には、この異常の異常パターンを特定するとともに、前記計量対象物の通過を遮断させる遮断信号を発信する異常特定手段と、
前記異常特定手段を駆動させる電池と、
前記異常特定手段によって取得された物理量と、前記特定された異常パターンとを記憶する不揮発性の記憶手段と、外部から送信された指令を受信し、その指令に基づいて前記記憶手段に記憶された情報を送出する通信手段とを備えたＩＣタグと
を備えたコントローラ。
【請求項８】
請求項７に記載のコントローラにおいて、
前記ＩＣタグの通信手段に、前記外部からの指令として、前記異常パターン条件の更新情報が送信された場合には、前記異常特定手段に設定されている異常パターン条件を、この更新情報に基づいて更新する更新手段を更に備えたコントローラ。
【請求項９】
請求項７または請求項８に記載のコントローラにおいて、
前記計測手段によって計測された物理量、または前記記憶手段に記憶された物理量または異常パターンを表示する表示手段を更に備えたコントローラ。
【請求項１０】
請求項９に記載のコントローラにおいて、
前記表示手段は表示パネルを備えている一方、
前記通信手段をプリントアンテナとし、このプリントアンテナを、前記表示パネルに配置したコントローラ。
【請求項１１】
請求項７乃至９のうち何れか１項に記載のコントローラにおいて、
前記通信手段をプリントアンテナとしたコントローラ。
【請求項１２】
請求項７乃至１１のうち何れか１項に記載のコントローラにおいて、
前記計量対象物を、供給側から需要側へと供給されるガスまたは水道水としたコントローラ。
【発明の詳細な説明】
【技術分野】
【０００１】
本発明は、例えば電気、ガス、水道などの計量器およびそれに適用されるコントローラに関するものである。
【背景技術】
【０００２】
従来、電気、ガス、水道などを、電力会社、ガス会社、水道局などの供給側から、企業や一般等の需要側に対して供給される供給物の供給量は、需要側に設けられた計量器によって管理されている。
【０００３】
図４は、この種の計量器の一例であるガスメータ１０を示す構成図である。すなわち、従来技術によるガスメータ１０は、ガス会社から供給されるガスを受け入れる入口１２と、このガスを需要家に供給するために払い出す出口１４とが設けられている。入口１２と出口１４とは配管１６で結ばれている。また、配管１６内を流れるガスの流量を測定して流量信号を生成する流量センサ１８、ガスの供給圧力の異常低下を検知して遮断信号を生成する圧力スイッチ２０、地震時の振動を検知して検知信号を生成する感震器２２が設けられている。
【０００４】
流量センサ１８からの流量信号、圧力スイッチ２０からの遮断信号、感震器２２からの検知信号はそれぞれコントローラ２４へ送られる。このコントローラ２４および後述する図示しないメモリは、電池２６によって駆動される。そしてコントローラ２４は、遮断信号や検知信号が送られた場合には、遮断弁２８に信号を送り、遮断弁２８を閉じさせることによって、ガスの供給を遮断する。このコントローラ２４は、流量信号に基づいて何らかの異常があると判定した場合にも、同様に遮断弁２８に対して信号を送る。また、ガスメータ１０は、図示していないがメモリを備えており、コントローラ２４に送られた流量信号、遮断信号、および検知信号を記憶する。
【０００５】
表示ランプ３０は、遮断弁２８が閉じた場合に点滅する。これによって、検査員は、何らかの異常があって遮断弁２８が閉じた状態であることを把握することができる。復帰ボタン３２は、閉じた遮断弁２８を開けるためのボタンである。
【特許文献１】特開２００１−１４７１４４号公報
【発明の開示】
【発明が解決しようとする課題】
【０００６】
しかしながら、このような従来の計量器では、以下のような問題がある。
【０００７】
すなわち、従来の計量器では、何らかの異常があり遮断弁２８が閉じた場合、図示しないメモリに記憶されている流量信号、遮断信号、および検知信号の内容を検討することによって、どのような原因で異常が生じたのかが把握されていた。
【０００８】
しかし、把握するには計量法で定められている計量器の封印を解き、内部の電子回路からデータを回収しなければならないため現地で把握できず、持ち帰り等多大な労力と費用を要した。
【０００９】
更に、コントローラ２４およびメモリは、電池２６によって駆動される揮発性タイプのものであるので、電池２６が消耗してしまうと、コントローラ２４が機能しなくなり、メモリに情報を書き込めなくなるばかりか、これまでメモリに書き込まれた情報もまた消失してしまう。このため、このような場合には、異常原因を判断することができなくなるという問題がある。
【００１０】
本発明はこのような事情に鑑みてなされたものであり、コントローラによって取得された情報を速やか且つ消失することなく、異常原因を判断することができなくなるような状態を回避することが可能な計量器およびそれに適用されるコントローラを提供することを目的とする。
【課題を解決するための手段】
【００１１】
上記の目的を達成するために、本発明では、以下のような手段を講じる。
【００１２】
すなわち、請求項１の発明は、内部を通過する計量対象物の物理量を計測し、計測された物理量に異常があった場合には、計量対象物の通過を遮断する計量器であって、計量対象物の物理量を計測する計測手段と、計測手段によって計測された物理量を取得し、取得した物理量を、予め設定された異常パターン条件と比較することにより、取得した物理量に異常があるか否かを判定し、異常有りと判定した場合には、この異常の異常パターンを特定するとともに、計量対象物の通過を遮断させる異常特定手段と、異常特定手段を駆動させる電池を備えている。更に、異常特定手段によって取得された物理量と、特定された異常パターンとを記憶する不揮発性の記憶手段と、外部から送信された指令を受信し、その指令に基づいて記憶手段に記憶された情報を送出する通信手段とを備えたＩＣタグを備えている。なお、ＩＣタグを備えた公知例としては、上記特許文献１がある。
【００１３】
従って、請求項１の発明の計量器においては、以上のような手段を講じることにより、電池が消耗した場合であっても、物理量と異常パターンとを損失することなく保持することが可能となる。また、記憶した情報を読み出す場合には、ＩＣタグの通信機能を使って、外部へと容易に送出することが可能となる。
【００１４】
請求項２の発明は、請求項１の発明の計量器において、ＩＣタグの通信手段に、外部からの指令として、異常パターン条件の更新情報が送信された場合には、異常特定手段に設定されている異常パターン条件を、この更新情報に基づいて更新する更新手段を更に備えている。
【００１５】
従って、請求項２の発明の計量器においては、以上のような手段を講じることにより、異常パターン条件の更新を、外部から容易に行うことが可能となる。
【００１６】
請求項３の発明は、請求項１または請求項２の発明の計量器において、計測手段によって計測された物理量、または記憶手段に記憶された物理量または異常パターンを表示する表示手段を更に備えている。
【００１７】
従って、請求項３の発明の計量器においては、以上のような手段を講じることにより、必要な情報を容易に観察することが可能となる。
【００１８】
請求項４の発明は、請求項３の発明の計量器において、表示手段は表示パネルを備えている一方、通信手段をプリントアンテナとし、このプリントアンテナを、表示パネルに配置している。
【００１９】
従って、請求項４の発明の計量器においては、以上のような手段を講じることにより、通信手段を可能な限り小型化することができるので、計量器の装置構成を簡素にすることができる。
【００２０】
請求項５の発明は、請求項１乃至３のうち何れか１項の発明の計量器において、通信手段をプリントアンテナとしている。
【００２１】
従って、請求項５の発明の計量器においては、以上のような手段を講じることにより、通信手段を可能な限り小型化することができるので、計量器の装置構成を簡素にすることができる。
【００２２】
請求項６の発明は、請求項１乃至５のうち何れか１項の発明の計量器において、計量対象物は、供給側から需要側へと供給されるガスまたは水道水としている。
【００２３】
従って、請求項６の発明の計量器においては、以上のような手段を講じることにより、このような計量器をガスメータや水道メータとして利用することができる。
【００２４】
請求項７の発明は、内部を通過する計量対象物の物理量を計測し、計測された物理量に異常があった場合には、計量対象物の通過を遮断する計量器に適用されるコントローラであって、計測された物理量を取得し、取得した物理量を、予め設定された異常パターン条件と比較することにより、取得した物理量に異常があるか否かを判定し、異常有りと判定した場合には、この異常の異常パターンを特定するとともに、計量対象物の通過を遮断させる遮断信号を発信する異常特定手段と、異常特定手段を駆動させる電池とを備えている。更に、異常特定手段によって取得された物理量と、特定された異常パターンとを記憶する不揮発性の記憶手段と、外部から送信された指令を受信し、その指令に基づいて記憶手段に記憶された情報を送出する通信手段とを備えたＩＣタグを備えている。
【００２５】
従って、請求項７の発明のコントローラにおいては、以上のような手段を講じることにより、電池が消耗した場合であっても、物理量と異常パターンとを損失することなく保持することが可能となる。また、記憶した情報を読み出す場合には、ＩＣタグの通信機能を使って、外部へと容易に送出することが可能となる。
【００２６】
請求項８の発明は、請求項７の発明のコントローラにおいて、ＩＣタグの通信手段に、外部からの指令として、異常パターン条件の更新情報が送信された場合には、異常特定手段に設定されている異常パターン条件を、この更新情報に基づいて更新する更新手段を更に備えている。
【００２７】
従って、請求項８の発明のコントローラにおいては、以上のような手段を講じることにより、異常パターン条件の更新を、外部から容易に行うことが可能となる。
【００２８】
請求項９の発明は、請求項７または請求項８の発明のコントローラにおいて、計測手段によって計測された物理量、または記憶手段に記憶された物理量または異常パターンを表示する表示手段を更に備えている。
【００２９】
従って、請求項９の発明のコントローラにおいては、以上のような手段を講じることにより、必要な情報を容易に観察することが可能となる。
【００３０】
請求項１０の発明は、請求項９の発明のコントローラにおいて、表示手段は表示パネルを備えている一方、通信手段をプリントアンテナとし、このプリントアンテナを、表示パネルに配置している。
【００３１】
従って、請求項１０の発明のコントローラにおいては、以上のような手段を講じることにより、通信手段を小型化することができるので、計量器の装置構成の複雑化を回避することができる。
【００３２】
請求項１１の発明は、請求項７乃至９のうち何れか１項の発明のコントローラにおいて、通信手段をプリントアンテナとしている。
【００３３】
従って、請求項１１の発明のコントローラにおいては、以上のような手段を講じることにより、通信手段を小型化することができるので、計量器の装置構成の複雑化を回避することができる。
【００３４】
請求項１２の発明は、請求項７乃至１１のうち何れか１項の発明のコントローラにおいて、計量対象物を、供給側から需要側へと供給されるガスまたは水道水としている。
【００３５】
従って、請求項１２の発明のコントローラにおいては、以上のような手段を講じることにより、ガスメータや水道メータ用の計量器に適用することができる。
【発明の効果】
【００３６】
本発明によれば、通信機能と揮発性メモリ機能とを併せ持つＩＣタグをコントローラに適用し、コントローラによって取得された情報をこのＩＣタグに記憶させることによって、電池が消耗した場合であっても、情報を損失することなく保持することが可能となる。
【００３７】
また、記憶した情報を読み出す場合には、ＩＣタグの通信機能を使って、外部へ読み出すことができるので、異常原因の判断を容易に行うことが可能となる。
【発明を実施するための最良の形態】
【００３８】
以下に、本発明を実施するための最良の形態について図面を参照しながら説明する。
【００３９】
なお、以下の実施の形態の説明に用いる図中の符号は、図４と同一部分については同一符号を付して示すことにする。
【００４０】
本発明の実施の形態を説明する。
【００４１】
図１は、本発明の実施の形態に係るコントローラ１、およびそれを適用した計量器の一例であるガスメータ２の機能構成例を示すブロック図である。
【００４２】
すなわち、このガスメータ２は、図４に示すガスメータ１０と比べて、コントローラ１の構成のみが異なる。したがって、構成に関しては、コントローラ１の説明のみを行い、重複説明を避ける。
【００４３】
このコントローラ１は、中央制御部３と、電池４と、ＩＣタグ５と、表示部７とを備えている。電池４は、中央制御部３に対して駆動用の電力を供給する。
【００４４】
中央制御部３は、流量センサ１８から送られる流量信号、圧力スイッチ２０から送られる遮断信号、感震器２２から送られる検知信号をそれぞれ取得する。そして、この取得した信号をＩＣタグ５に送る。このとき、遮断信号や検知信号が送られた場合には、遮断弁２８に信号を送り、遮断弁２８を閉じさせることによって、ガスの供給を遮断する。また、中央制御部３には異常パターンの特定に用いている異常パターン条件が設定されており、この異常パターン条件に基づいて、この流量信号から何らかの異常があると判定した場合にも、同様に遮断弁２８に対して信号を送り、ガスの供給を遮断させる。この判定された異常パターンもまた、中央制御部３からＩＣタグ５に送られるようにしている。
【００４５】
ＩＣタグ５は、図示しない不揮発性のメモリと、アンテナ６とを備えている。この不揮発性のメモリは、中央制御部３から送られた信号に対応する情報、異常パターンの情報を記憶する。また、アンテナ６は、図２に示されるように、データ送受信機能を備えたハンディターミナルのような外部装置９との通信が可能であり、外部装置９から送信された指令を受信し、その指令に基づいてメモリに記憶された情報を返信する。この動作は、電池４からの電力を要さないので、電池４が消耗した場合であっても可能である。また、アンテナ６は、外部装置９から送信された指令に基づいて、メモリに記憶された情報を中央制御部３を介して表示部７から表示させたり、中央制御部３に設定された異常パターン条件の登録、変更等の更新動作を行う。ただし、このように中央制御部３を介する動作は、電池４が消耗していない場合に限られる。
【００４６】
なお、図１では、アンテナ６を、ＩＣタグ５の本体に近接して示しているが、これでは外部装置９との通信能力が低下する恐れがあるので、図３に示すように、プリントアンテナとして、ディスプレイ８の内部に埋め込んで配置することが好ましい。このような構成とすることによって、外部装置９との高い通信機能を実現するようにする。
【００４７】
本発明の実施の形態に係る本発明の実施の形態に係るコントローラ１、およびそれを適用した計量器は、以上のような構成をしているので、電池４が消耗した場合であっても、物理量と異常パターンとを損失することなく保持することが可能となる。これによって、何らかの異常によって遮断弁２８が閉じた場合には、それに関連する情報を確実に取得することが可能となる。
【００４８】
また、外部装置９からの指令することによって、ＩＣタグ５に記憶された情報を表示部７から表示したり、ＩＣタグ５の通信機能を使って、外部装置９へと容易に送出することができる。
【００４９】
また、中央制御部３に設定されている異常パターン条件を、外部装置９から、外部装置９から容易に更新ことができる。
【００５０】
更に、アンテナ６をプリントアンテナとすることによって、可能な限り構成を小型化することができるので、計量器の装置構成を簡素にすることが可能となる。
【００５１】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５２】
【図１】本発明の実施の形態に係るコントローラ、およびそれを適用した計量器の一例であるガスメータの機能構成例を示すブロック図。
【図２】ガスメータとハンディターミナルとの間のデータ送受信の概念を示す図。
【図３】ディスプレイの内部にプリントアンテナが埋め込まれたガスメータの一例を示す正面図。
【図４】従来技術によるガスメータの構成図。
【符号の説明】
【００５３】
１…コントローラ、２…ガスメータ、３…中央制御部、４…電池、５…ＩＣタグ、６…アンテナ、７…表示部、８…ディスプレイ、９…外部装置、１０…ガスメータ、１２…入口、１４…出口、１６…配管、１８…流量センサ、２０…圧力スイッチ、２２…感震器、２４…コントローラ、２６…電池、２８…遮断弁、３０…表示ランプ、３２…復帰ボタン
【図１】
2005257648.tif 000003
【図２】
2005257648.tif 000004
【図３】
2005257648.tif 000005
【図４】
2005257648.tif 000006